(57)【要約】【課題】  エアシリンダの滑らかな作動によって高さを調節可能な机を提供する。【解決手段】  机は、天板１０と、第１脚台２０と、第２脚台３０と、エアシリンダ４０と、補助装置５０とを備える。第１足脚台２０は第２脚台３０と互いに回転可能に交差し、第１脚台２０の一端は天板１０底面の第１幕板１１に回転可能に結合され、第２脚台３０の端部は枢接プレート３１に枢接する。補助装置５０は第１幕板１１と第２幕板１２の間に結合し、エアシリンダ４０の一端は第２幕板１２に結合し、他端は補助装置５０に固定される。これにより、エアシリンダ４０が作動するとき、作動が滑らかとなり、かつ机の強度を強化することができる。【選択図】図３
0003179434.tif 000002
【実用新案登録請求の範囲】
【請求項１】
底面に第１幕板（１１）及び第２幕板（１２）を有する天板（１０）と、
一端が前記第１幕板に回転可能に結合される第１脚台（２０）と、
前記第１脚台と交差し、互いに回転可能に設けられる第２脚台（３０）と、
前記第２脚台の一端に回転可能に結合される枢接プレート（３１）と、
前記第１幕板と前記第２幕板との間に設けられ、本体（４１）、及び、前記本体に収容され端部が前記第２幕板に結合する伸縮棒（４２）を有するエアシリンダ（４０）と、
前記第２幕板に回転可能に結合し、前記エアシリンダの開閉ストロークを制御する制動プレート（４３）と、
前記第１幕板と前記第２幕板との間に設けられ、少なくとも一つの滑りレール（５１）と、前記滑りレールに摺動可能に設けられるスライダ（５２）と、前記スライダの一端に固定され、前記スライダと前記エアシリンダの前記本体とを結合する結合プレート（５３）と、を有する補助装置（５０）と、
を備え、
前記エアシリンダが作動するとき、前記スライダは前記エアシリンダの前記本体に追随して前記滑りレールに対して移動し、前記第１脚台と前記第２脚台との交差角度を変更することで高さを調節できることを特徴とする机。
【請求項２】
前記補助装置は、もう一つの前記滑りレールと当該もう一つの前記滑りレールに滑設するもう一つの前記スライダをさらに有し、前記結合プレートは２つの前記スライダの間に設けられ、２つの前記滑りレールの両端部は、それぞれ前記第１幕板及び前記第２幕板に連結されることを特徴とする請求項１記載の机。
【請求項３】
前記エアシリンダは、２つの前記スライダの間に設けられることを特徴とする請求項２記載の机。
【請求項４】
前記第１幕板は、前記第１脚台の端部を回転可能に支持する２つの枢支耳（１４）を有することを特徴とする請求項１記載の机。
【請求項５】
前記第１脚台及び前記第２脚台は、それぞれ端部に車輪（６０）を設けていることを特徴とする請求項１記載の机。
【考案の詳細な説明】
【技術分野】
【０００１】
本考案は、高さ調節可能な机に関する。
【背景技術】
【０００２】
従来の高さ調節可能な机は、内部管と外部管とを摺動可能とし、固定具に複数の所定間隔置きで穴を開けることによって固定及び調節を可能とし、机の高さ調節効果を達成する。しかし、調節するには、固定具と穴位置との照準が必要なため、操作が不便である。
もう一種のエアシリンダを調整装置とした高さ調節可能な机は、エアシリンダを利用して高速、かつ無段階調整の目的を達成する。
【先行技術文献】
【特許文献】
【０００３】
【特許文献１】実公平０１−１７５９５号公報
【考案の概要】
【考案が解決しようとする課題】
【０００４】
しかし、エアシリンダを操作するとき、伸縮方向の力量により、エアシリンダは側方向のずれを発生するため、調整装置の作動に滞りを生じるほか、エアシリンダの使用寿命を短縮し、天板と結合する締め付け具のゆるみを発生するという問題があった。
本考案は、上記の問題に鑑みてなされたものであり、その目的は、調整装置を操作するときの作動の滞りの問題を解決し、エアシリンダの滑らかな作動によって高さを調節可能な机を提供することにある。
【課題を解決するための手段】
【０００５】
前述目的を達成するため、本考案の机は、底面に第１幕板及び第２幕板を有する天板と、一端が第１幕板に回転可能に結合される第１脚台と、第１脚台と交差し、互いに回転可能に設けられる第２脚台と、第２脚台の一端に回転可能に結合される枢接プレートと、第１幕板と第２幕板との間に設けられ、本体、及び、本体に収容され端部が第２幕板に結合する伸縮棒を有するエアシリンダと、第２幕板に回転可能に結合し、エアシリンダの開閉ストロークを制御する制動プレートと、補助装置とを備える。
補助装置は、第１幕板と第２幕板との間に設けられ、少なくとも一つの滑りレールと、滑りレールに摺動可能に設けられるスライダと、スライダの一端に固定され、スライダとエアシリンダの本体とを結合する結合プレートとを有する。
エアシリンダが作動するとき、スライダはエアシリンダの本体に追随して滑りレールに対して移動し、第１脚台と第２脚台との交差角度を変更することで机の高さを調節する。
このように、本考案の机は、補助装置とエアシリンダとを組み合わせた構成を採用することにより、エアシリンダの作動を滑らかにし、机の強度を強化することができる。
【０００６】
本考案の補助装置は、もう一つの滑りレールと、滑りレールに滑設するもう一つのスライダをさらに有し、結合プレートを２つのスライダの間に設けることにより、２つのスライダをそれぞれ２つの滑りレールに滑設させることが好ましい。
これにより、さらにエアシリンダの作動が安定し、かつ滑らかな作動が可能となり、机の強度を強化することができる。
【図面の簡単な説明】
【０００７】
【図１】本考案の一実施例による机の組立斜視図である。
【図２】本考案の一実施例による机の分解斜視図である。
【図３】図１にて天板１０を透視した図である。
【図４】本考案の一実施例による机の動作部断面図である。
【図５】本考案の一実施例による机の側面図である。
【図６】本考案の一実施例による机の調整動作を示す模式図である。
【図７】本考案の一実施例による机の脚台を閉じた図である。
【考案を実施するための形態】
【０００８】
以下、図面に基づき、本考案の補助装置を備える調節可能な机の実施例を説明する。
【実施例】
【０００９】
図１、図２、図３を参照する。本考案の補助装置を備える調節可能な机は主に、天板１０と、第１脚台２０と、第２脚台３０と、エアシリンダ４０と、補助装置５０と、を備える。そのうち、第１脚台２０と、第２脚台３０は中間部位置にて相互に交差して枢接しており、かつ第１脚台２０と第２脚台３０の端部には、それぞれ車輪６０を設けている。
【００１０】
天板１０は底面に第１幕板１１と第２幕板１２とを有している。第１幕板１１及び第２幕板１２は細長い片状を形成しており、かつそれぞれ複数の締め付け具１３によって、天板１０底面の適切場所に締め付けられている。第１幕板１１の両端部は枢支耳１４を設けており、第１脚台２０の上面端を回転可能に支持する。第２幕板１２は中央部の外側縁部に一対の枢接部１５を設けている。
【００１１】
枢接プレート３１は第１幕板１１と第２幕板１２との間に設けられ、第２脚台３０の最上端に回転可能に結合される。
【００１２】
エアシリンダ４０は枢接プレート３１の中間部に位置し、第１幕板１１と第２幕板１２との間に設けられる。エアシリンダ４０は、本体４１と伸縮棒４２とを有し、伸縮棒４２の端部は第２幕板１２の２つの枢接部１５の間に結合する。
【００１３】
制動プレート４３は第２幕板１２の枢設部１５に回転可能に結合され、エアシリンダ４０の開閉ストロークを制御し、エアシリンダ４０を相対的に伸縮動作させる。
【００１４】
補助装置５０は、平行した２つの滑りレール５１と、２つのスライダ５２と、結合プレート５３とを有する。滑りレール５１は、複数のボルト５４を介して第１幕板１１と第２幕板１２との間に設けられ、机全体の強度を強化し曲げ変形を軽減する。２つのスライダ５２は２つの滑りレール５１に滑設し、結合プレート５３は２つのスライダ５２の間に設けられる。結合プレート５３はエアシリンダ４０本体４１の端部に組み付けられることによって、エアシリンダ４０を２つのスライダ５２の間に設置する。
【００１５】
エアシリンダ４０が作動状態のとき、スライダ５２はエアシリンダ４０の本体４１に追随して滑りレール５１に対して移動し、第１脚台２０と第２脚台３０との交差角度を変更し机の高さを調節できる。
【００１６】
特に本実施例では、滑りレール５１とスライダ５２とが２組設けられている。他の実施例では、２組に限らず、少なくとも一つの滑りレール５１と一つのスライダ５２とを含む構成とすることで同じ効果を有する。
【００１７】
図４を参照する。エアシリンダ４０の伸縮棒４２の端部は第２幕板１２に結合し、エアシリンダ４０の本体４１の端部は結合プレート５３に固定されることによって、エアシリンダ４０が制動プレート４３の押圧により開閉する。エアシリンダ４０が作動するとき、伸縮棒４２は本体４１に対して安定に滑り、ふらつきがなくなる、したがって、エアシリンダ４０側方向の受力が軽減し、エアシリンダ４０の使用寿命を延長できる。
【００１８】
図５を参照する。第１脚台２０と第２脚台３０とが交差して枢接する状態を示し、机が完全に展開された状態を示す。このとき、天板１０は地面に平行する。第１脚台２０及び第２脚台３０の端部には車輪６０が設けられ、机の便利な移動機能を提供できる。
【００１９】
続いて、図６を参照する。机を閉じたいときは、制動プレート４３を調節し伸縮棒４２の端部に押圧させ、伸縮棒４２と本体４１との位置関係を調節して、高さ調節効果を達成する。
【００２０】
図７を参照する。前述操作を経て机を扁平状に閉じた後、机をベッドまたはソファーの下部に収納することによって、省スペースの目的を達成できる。
【００２１】
以上の説明のとおり、本実施例の机は、補助装置の滑りレールにスライダを摺動させることを特徴とする。また、結合プレートを２つのスライダの間に固定することで、エアシリンダが作動するときに滑らかに作動させ、かつ机の強度を強化すると共に、エアシリンダの使用寿命を延長できる。
【００２２】
以上に説明したものは本考案の好ましい実施例であり、本考案の実施の範疇に制限を加えるものではない。本考案の精神と範疇を逸脱しない限り、その均等な修正又は変更は、なお、本考案の技術的範囲に含まれるものとする。
【符号の説明】
【００２３】
１０・・・天板
１１・・・第１幕板
１２・・・第２幕板
１３・・・締め付け具
１４・・・枢支耳
１５・・・枢接部
２０・・・第１脚台
３０・・・第２脚台
３１・・・枢接プレート
４０・・・エアシリンダ
４１・・・本体
４２・・・伸縮棒
４３・・・制動プレート
５０・・・補助装置
５１・・・滑りレール
５２・・・スライダ
５３・・・結合プレート
５４・・・ボルト
６０・・・車輪
【図１】
0003179434.tif 000003
【図２】
0003179434.tif 000004
【図３】
0003179434.tif 000005
【図４】
0003179434.tif 000006
【図５】
0003179434.tif 000007
【図６】
0003179434.tif 000008
【図７】
0003179434.tif 000009